(57)【特許請求の範囲】
【請求項１】
外部の系統電源に接続される単相三線式電路と、
燃料電池からの発電電力を交流出力に変換するパワーユニットと、
前記単相三線式電路に接続される内部補機と、
制御装置と、
を備え、
前記パワーユニットは、
前記単相三線式電路の電圧値を検出する電圧検出手段と、
前記電圧検出手段によって検出された電圧値が電圧異常値になっているか否かを判定する電圧異常判定手段と、
前記電圧異常判定手段での判定の結果、前記単相三線式電路の電圧異常が前記単相三線式電路に生じている場合に、この電圧異常を示す電圧異常情報を前記制御装置に送信する電圧異常情報送信手段と、
を備え、
前記単相三線式電路の三線のうち中性線を除く第１の電圧線及び第２の電圧線に接続され、
前記第１の電圧線及び前記第２の電圧線の線間電圧から生じる交流出力の供給を受けて動作し、
前記制御装置は、
前記パワーユニットから前記電圧異常情報を受信する電圧異常情報受信手段と、
前記内部補機の動作状況を検出する動作状況検出手段と、
前記電圧異常情報受信手段を介して受信した前記電圧異常情報と、前記動作状況検出手段で検出した前記内部補機の動作状況とに基づいて、前記単相三線式電路における前記中性線の欠相の発生の有無を判定する欠相判定手段と、
を備える燃料電池システム。
【請求項２】
前記内部補機は、第１の電力消費部と第２の電力消費部とを備え、
前記第１の電力消費部は、前記第１の電圧線と前記中性線との間に接続され、
前記第２の電力消費部は、前記第２の電圧線と前記中性線との間に接続され、
前記電圧異常判定手段は、前記電圧検出手段によって検出された電圧値に基づいて、前記第１の電圧線と前記中性線との線間電圧の値及び前記第２の電圧線と前記中性線との線間電圧の値のうち少なくとも一方の線間電圧の値が予め設定された判定条件を満たした場合に、前記電圧検出手段によって検出された電圧値が電圧異常値になっていると判定する、請求項１に記載の燃料電池システム。
【請求項３】
前記欠相判定手段は、
前記電圧異常情報受信手段を介して前記電圧異常情報が受信され、前記動作状況検出手段によって前記内部補機が駆動中であると判定された場合に、前記単相三線式電路における前記中性線の欠相の発生を仮確定する仮確定手段と、
前記単相三線式電路における前記中性線の欠相の発生が前記仮確定手段によって仮確定された場合に、この仮確定の後に更に前記電圧異常情報受信手段を介して受信された前記電圧異常情報を用いて前記単相三線式電路における前記中性線の欠相の発生を確定する確定手段と、
を備え、
前記単相三線式電路における前記中性線の欠相の発生が前記確定手段によって確定された場合に、前記単相三線式電路において前記中性線の欠相が発生したと判定する、
請求項１又は２に記載の燃料電池システム。
【請求項４】
前記内部補機は、第１の電力消費部と第２の電力消費部とを備え、
前記第１の電力消費部は、前記第１の電圧線と前記中性線との間に接続され、
前記第２の電力消費部は、前記第２の電圧線と前記中性線との間に接続され、
前記確定手段は、
前記単相三線式電路における前記中性線の欠相の発生が前記仮確定手段によって仮確定された場合に、前記第１の電力消費部及び前記第２の電力消費部の一方のみを駆動させた状態で更に前記電圧異常情報受信手段を介して前記電圧異常情報が受信された場合には、前記単相三線式電路における前記中性線の欠相の発生を確定する、
請求項３に記載の燃料電池システム。
【請求項５】
前記確定手段は、
前記単相三線式電路における前記中性線の欠相の発生が前記仮確定手段によって仮確定された場合に、更に前記仮確定手段に仮確定の判断を行わせ、前記仮確定手段による仮確定が基準回数なされた場合には、前記単相三線式電路における前記中性線の欠相の発生を確定する、
請求項３に記載の燃料電池システム。
【請求項６】
外部の系統電源に接続される単相三線式電路と、燃料電池からの発電電力を交流出力に変換するパワーユニットと、前記単相三線式電路に接続される内部補機と、制御装置とを備え、前記パワーユニットが前記単相三線式電路の三線のうち中性線を除く第１の電圧線及び第２の電圧線に接続され、前記パワーユニットが前記第１の電圧線及び前記第２の電圧線の線間電圧から生じる交流出力の供給を受けて動作する燃料電池システムの制御方法であって、
前記単相三線式電路の電圧値を前記パワーユニットが検出する電圧検出ステップと、
前記電圧検出ステップで検出された電圧値が電圧異常値になっているか否かを前記パワーユニットが判定する電圧異常判定ステップと、
前記電圧異常判定ステップでの判定の結果、前記単相三線式電路の電圧異常が前記単相三線式電路に生じている場合に、この電圧異常を示す電圧異常情報を前記制御装置に前記パワーユニットが送信する電圧異常情報送信ステップと、
前記パワーユニットから前記電圧異常情報を前記制御装置が受信する電圧異常情報受信ステップと、
前記内部補機の動作状況を前記制御装置が検出する動作状況検出ステップと、
前記電圧異常情報受信ステップで受信した前記電圧異常情報と、前記動作状況検出ステップで検出した前記内部補機の動作状況とに基づいて、前記単相三線式電路における前記中性線の欠相の発生の有無を判定する欠相判定ステップと、
を備える燃料電池システムの制御方法。
【発明の詳細な説明】
【技術分野】
【０００１】
本発明は、燃料電池システムと、燃料電池システムの制御方法とに関する。
【背景技術】
【０００２】
特許文献１は、コージェネレーションシステムを開示する。コジェネレーションシステムは、発電装置と、パワーコンディショナと、単相三線式電路と、貯湯槽とを備える。発電装置は、二台の交流補機を含む。パワーコンディショナは、発電装置から出力される電力を単相交流電力に変換して出力する。単相三線式電路は、２本の電力線及び１本の中性線を備える。貯湯槽は、発電装置の排熱により加熱された温水を貯留する。二台の交流補機及び貯湯槽とは、単相三線式電路の一方の電力線と中性線との間に片寄せされて電気的に接続される。コジェネレーションシステムは、パワーコンディショナの出力電圧の瞬時上昇を検出する機能、又は瞬時低下を検出する機能を用いて、中性線の欠相を検出する。
【０００３】
特許文献２は、中性線欠相保護機能付き発電装置用分岐ブレーカを開示する。中性線欠相保護機能付き発電装置用分岐ブレーカは、電源側端子を商用電源に商用電源用主幹ブレーカを介して単相三線式で接続された三本の導電バーのうち二本の電圧線の導電バーと電気的に接続し、負荷側端子をパワーコンディショナーを介して発電装置と電気的に接続し、欠相検出リード線を中性線の導電バーと電気的に接続する。そして、この欠相検出リード線に接点を設け、主電路に過電流や短絡や中性線の欠相等の異常が発生した際に開離して主電路を遮断するための開閉接点と連動して接点を開閉する。
【０００４】
特許文献３は、保護装置を開示する。保護装置は、単相三線式配電回路における中性線の断線又は異常電圧の印可を検出し、重大事故の発生前に回路を遮断する。
【先行技術文献】
【特許文献】
【０００５】
【特許文献１】特開２０１３−１８８０３８号公報
【特許文献２】特開２００５−２６００７号公報
【特許文献３】実開昭６１−１２３６３５号公報
【発明の概要】
【発明が解決しようとする課題】
【０００６】
従来の技術に係る燃料電池システムは、外部電力系統における短絡等や単相三線式電路における中性線の欠相等の不具合の際には、中性線欠相保護機能付ブレーカが過電圧を検出して遮断することによってヒータ等の内部補機に過負荷がかからないような構成を備える。しかしながら、単にブレーカで遮断するだけでは、中性線の欠相等の不具合の原因を特定することは困難である。そこで、本発明の目的は、上記の事項を鑑みてなされたものであり、単相三線式電路における中性線の欠相の有無を好適に判定できる燃料電池システムと燃料電池システムの制御方法とを提供することである。
【課題を解決するための手段】
【０００７】
本発明に係る燃料電池システムは、外部の系統電源に接続される単相三線式電路と、燃料電池からの発電電力を交流出力に変換するパワーユニットと、前記単相三線式電路に接続される内部補機と、制御装置と、を備え、前記パワーユニットは、前記単相三線式電路の電圧値を検出する電圧検出手段と、前記電圧検出手段によって検出された電圧値が電圧異常値になっているか否かを判定する電圧異常判定手段と、前記電圧異常判定手段での判定の結果、前記単相三線式電路の電圧異常が前記単相三線式電路に生じている場合に、この電圧異常を示す電圧異常情報を前記制御装置に送信する電圧異常情報送信手段と、を備え、前記単相三線式電路の三線のうち中性線を除く第１の電圧線及び第２の電圧線に接続され、前記第１の電圧線及び前記第２の電圧線の線間電圧から生じる交流出力の供給を受けて動作し、前記制御装置は、前記パワーユニットから前記電圧異常情報を受信する電圧異常情報受信手段と、前記内部補機の動作状況を検出する動作状況検出手段と、前記電圧異常情報受信手段を介して受信した前記電圧異常情報と、前記動作状況検出手段で検出した前記内部補機の動作状況とに基づいて、前記単相三線式電路における前記中性線の欠相の発生の有無を判定する欠相判定手段と、を備える。パワーユニットは、単相三線式電路の三線のうち第１の電圧線及び第２の電圧線の線間電圧から生じる交流出力の供給を受けて動作するので、単相三線式電路の中性線に欠相が生じても、パワーユニットは継続して正常に動作できる。このため、パワーユニットでは、中性線に欠相が生じた場合でも、系統側のブレーカを直ちにオフとせずに、電圧検出手段が単相三線式電路の電圧値を検出し、電圧異常判定手段が、単相三線式電路の電圧値が電圧異常値になっているか否かを判定し、電圧異常情報送信手段がこの判定結果を制御装置に送ることができる。更に、制御装置では、電圧異常情報受信手段がパワーユニットから受ける電圧異常情報と、動作状況検出手段が検出する内部補機の動作状況とに基づいて、欠相判定手段が中性線に欠相が生じたか否かを判定するので、従来システムの様に電圧異常が生じた場合に、直ちに漏電ブレーカ等の開閉手段で系統電源を切断する方法でなく、上記電圧異常の原因を究明することで、その後の修復処理も的確に行なうことが可能となる。さらに、上記電圧異常が中性線の欠相であるかどうかを判定する機能を設けたことで、特に電圧異常の中でも中性線の欠相の発生の検出を的確に行うことが出来る。
【０００８】
本発明に係る燃料電池システムでは、前記内部補機は、第１の電力消費部と第２の電力消費部とを備え、前記第１の電力消費部は、前記第１の電圧線と前記中性線との間に接続され、前記第２の電力消費部は、前記第２の電圧線と前記中性線との間に接続され、前記電圧異常判定手段は、前記電圧検出手段によって検出された電圧値に基づいて、前記第１の電圧線と前記中性線との線間電圧の値及び前記第２の電圧線と前記中性線との線間電圧の値のうち少なくとも一方の線間電圧の値が予め設定された判定条件を満たした場合に、前記電圧検出手段によって検出された電圧値が電圧異常値になっていると判定する。このように、電圧異常判定手段は、第１の電圧線と中性線との線間電圧の値及び第２の電圧線と中性線との線間電圧の値のうち少なくとも一方の線間電圧の値が予め設定された判定条件を満たした場合に単相三線式電路の電圧値が電圧異常値になっていると判定するので、中性線の欠相によって、内部補機、さらには装置の内部回路等が損傷を受ける前に単相三線式電路の電圧異常を検出する事が可能となる。
【０００９】
本発明に係る燃料電池システムでは、前記欠相判定手段は、前記電圧異常情報受信手段を介して前記電圧異常情報が受信され、前記動作状況検出手段によって前記内部補機が駆動中であると判定された場合に、前記単相三線式電路における前記中性線の欠相の発生を仮確定する仮確定手段と、前記単相三線式電路における前記中性線の欠相の発生が前記仮確定手段によって仮確定された場合に、この仮確定の後に更に前記電圧異常情報受信手段を介して受信された前記電圧異常情報を用いて前記単相三線式電路における前記中性線の欠相の発生を確定する確定手段と、を備え、前記単相三線式電路における前記中性線の欠相の発生が前記確定手段によって確定された場合に、前記単相三線式電路において前記中性線の欠相が発生したと判定する。このように仮確定手段によってまず中性線の欠相の発生を仮確定した後に、この仮確定の後に更に電圧異常情報受信手段を介して受信された電圧異常情報を用いて中性線の欠相の発生を確定手段が確定するので、電圧異常情報を一度受けたことのみによって直ちに中性線に欠相が発生した旨の判定を行う場合と比較して、電圧異常が生じる外的要因を的確に排除出来るので、中性線の欠相の検出精度が更に向上する。
【００１０】
本発明に係る燃料電池システムでは、前記内部補機は、第１の電力消費部と第２の電力消費部とを備え、前記第１の電力消費部は、前記第１の電圧線と前記中性線との間に接続され、前記第２の電力消費部は、前記第２の電圧線と前記中性線との間に接続され、前記確定手段は、前記単相三線式電路における前記中性線の欠相の発生が前記仮確定手段によって仮確定された場合に、前記第１の電力消費部及び前記第２の電力消費部の一方のみを駆動させた状態で更に前記電圧異常情報受信手段を介して前記電圧異常情報が受信された場合には、前記単相三線式電路における前記中性線の欠相の発生を確定する。このように、確定手段は、仮確定手段による仮確定の後に、第１の電力消費部及び第２の電力消費部の一方のみを駆動させた状態で更に電圧異常情報受信手段を介して電圧異常情報が受信された場合に単相三線式電路における中性線の欠相の発生を確定する。従って、内部補機の第１及び第２の電力消費部を全て駆動させることなく、第１及び第２の電力消費部の一方のみを駆動させるだけで中性線の欠相の発生が確認されるので、中性線の欠相の発生時に生じ得る内部補機における過負荷が回避されつつ中性線の欠相の発生原因、及び個所を特定することが出来る。
【００１１】
本発明に係る燃料電池システムでは、前記確定手段は、前記単相三線式電路における前記中性線の欠相の発生が前記仮確定手段によって仮確定された場合に、更に前記仮確定手段に仮確定の判断を行わせ、前記仮確定手段による仮確定が基準回数なされた場合には、前記単相三線式電路における前記中性線の欠相の発生を確定する。このように、確定手段は、仮確定手段による仮確定の回数が基準回数なされた場合に、単相三線式電路における中性線の欠相の発生を確定するので、より確実に中性線の欠相のみを検出することができる。
【００１２】
本発明に係る燃料電池システムの制御方法は、外部の系統電源に接続される単相三線式電路と、燃料電池からの発電電力を交流出力に変換するパワーユニットと、前記単相三線式電路に接続される内部補機と、制御装置とを備え、前記パワーユニットが前記単相三線式電路の三線のうち中性線を除く第１の電圧線及び第２の電圧線に接続され、前記パワーユニットが前記第１の電圧線及び前記第２の電圧線の線間電圧から生じる交流出力の供給を受けて動作する燃料電池システムの制御方法であって、前記単相三線式電路の電圧値を前記パワーユニットが検出する電圧検出ステップと、前記電圧検出ステップで検出された電圧値が電圧異常値になっているか否かを前記パワーユニットが判定する電圧異常判定ステップと、前記電圧異常判定ステップでの判定の結果、前記単相三線式電路の電圧異常が前記単相三線式電路に生じている場合に、この電圧異常を示す電圧異常情報を前記制御装置に前記パワーユニットが送信する電圧異常情報送信ステップと、前記パワーユニットから前記電圧異常情報を前記制御装置が受信する電圧異常情報受信ステップと、前記内部補機の動作状況を前記制御装置が検出する動作状況検出ステップと、前記電圧異常情報受信ステップで受信した前記電圧異常情報と、前記動作状況検出ステップで検出した前記内部補機の動作状況とに基づいて、前記単相三線式電路における前記中性線の欠相の発生の有無を判定する欠相判定ステップと、を備える。パワーユニットは、単相三線式電路の三線のうち第１の電圧線及び第２の電圧線の線間電圧から生じる交流出力の供給を受けて動作するので、単相三線式電路の中性線に欠相が生じても、パワーユニットは継続して正常に動作できる。このため、パワーユニットは、中性線に欠相が生じた場合でも、系統側のブレーカを直ちにオフとせずに、電圧検出ステップで単相三線式電路の電圧値を検出し、電圧異常判定ステップで単相三線式電路の電圧値が電圧異常値になっているか否かを判定し、電圧異常情報送信ステップでこの判定結果を制御装置に送ることができる。更に、制御装置は、電圧異常情報受信ステップでパワーユニットから受ける電圧異常情報と、動作状況検出ステップで検出する内部補機の動作状況とに基づいて、欠相判定ステップで中性線に欠相が生じたか否かを判定するので、従来システムのように電圧異常が生じた場合に、直ちに漏電ブレーカ等の開閉手段で系統電源を切断する方法でなく、上記電圧異常の原因を究明することで、その後の修復処理も的確に行なうことが可能となる。さらに、上記電圧異常が中性線の欠相であるかどうかを判定する機能を設けたことで、特に電圧異常の中でも中性線の欠相の発生の検出を的確に行うことが出来る。
【発明の効果】
【００１３】
本発明によれば、単相三線式電路における中性線の欠相の有無を好適に判定できる燃料電池システムと燃料電池システムの制御方法とを提供できる。
【図面の簡単な説明】
【００１４】
【図１】図１は、実施形態に係る燃料電池システムの構成を概略的に示す。
【図２】図２は、実施形態に係るパワーユニットのコントローラの機能と、実施形態に係る燃料電池制御ユニットのコントローラの機能とを示す図である。
【図３】図３は、実施形態に係るパワーユニットのコントローラの動作を説明するためのフローチャートである。
【図４】図４は、実施形態に係る燃料電池制御ユニットのコントローラの動作を説明するためのフローチャートである。
【図５】図５は、実施形態に係る燃料電池制御ユニットのコントローラの動作を説明するためのフローチャートである。
【発明を実施するための形態】
【００１５】
以下、図面を参照して、本発明に係る好適な実施形態について詳細に説明する。なお、図面の説明において、可能な場合には、同一要素には同一符号を付し、重複する説明を省略する。図１は、実施形態に係る燃料電池システム１００の構成を概略的に示す図である。燃料電池システム１００は、燃料電池制御ユニット３とパワーユニット５と単相三線式電路７と燃料電池９と内部補機１１とフィルタ基板１３と貯湯槽１５とリモコン１７とを備える。貯湯槽１５は、コントローラ１５ａを備える。
【００１６】
燃料電池制御ユニット３は、少なくともコントローラ３ａ（制御装置）とリレー３ｂとリレー３ｃとを備える。燃料電池制御ユニット３は、単相三線式電路７に接続されている。燃料電池制御ユニット３から伸びる単相三線式電路７は、フィルタ基板１３を介して、パワーユニット５の電気回路５１と外部の系統電源１９とに接続される。フィルタ基板１３から燃料電池制御ユニット３に伸びる単相三線式電路７は、燃料電池制御ユニット３を介して、内部補機１１に接続される。コントローラ３ａは、リレー３ｂの動作とリレー３ｃの動作とを制御する。リレー３ｂは、Ｔ相である電力線７ｂ（第１の電圧線）に設けられ、コントローラ３ａの制御に応じて電力線７ｂの導通のオンオフを切り替える。リレー３ｃは、Ｒ相である電力線７ｃ（第２の電圧線）に設けられ、コントローラ３ａの制御に応じて電力線７ｃの導通のオンオフを切り替える。
【００１７】
パワーユニット５は、電気回路５１とコントローラ５３とＤＣ電源出力端子５１ｆとを備える。パワーユニット５は、燃料電池９に接続されている。パワーユニット５は、燃料電池９からの発電電力を交流出力に変換する。パワーユニット５は、フィルタ基板１３を介して単相三線式電路７に接続されている。パワーユニット５は、単相三線式電路７を介して系統電源１９に接続されている。パワーユニット５は、電力線７ｂ及び電力線７ｃの線間電圧から生じる交流出力の供給を受けて動作する。
【００１８】
電気回路５１は、系統電圧検出装置５１ａ（電圧検出手段）と連系リレー５１ｂとＤＣ／ＤＣコンバータ５１ｃとＤＣ／ＡＣインバータ５１ｄと補機用ＤＣ／ＤＣコンバータ５１ｅとを備える。電気回路５１は、単相三線式電路７の中性線７ａ（Ｎ相）と共に、単相三線式電路７の三線のうち中性線７ａを除く電力線７ｂと電力線７ｃとに接続されている。電気回路５１は、電力線７ｂと電力線７ｃとの線間電圧による電力の供給を受けて動作する。従って、電気回路５１は、中性線７ａに欠相が生じた場合にもその影響を受けずに上記線間電圧による電力の供給を受けて動作できる。
【００１９】
コントローラ５３は、パワーユニット５を統括的に制御する。コントローラ５３も、電力線７ｂと電力線７ｃとの線間電圧による電力の供給を受けて動作する。従って、コントローラ５３も、電気回路５１と同様に中性線７ａに欠相が生じた場合にも動作できる。
【００２０】
系統電圧検出装置５１ａは、単相三線式電路７の電圧値を検出し、検出結果をコントローラ５３に出力する。系統電圧検出装置５１ａは、中性線７ａと電力線７ｂとの線間電圧、及び中性線７ａと電力線７ｃとの線間電圧を測定する。
【００２１】
連系リレー５１ｂは、二つの直流線路を介してＤＣ／ＡＣインバータ５１ｄの出力側に接続されている。連系リレー５１ｂは、フィルタ基板１３から伸びる単相三線式電路７に接続されている。連系リレー５１ｂは、ＤＣ／ＡＣインバータ５１ｄと単相三線式電路７との接続のオンオフを行うことによって、燃料電池９と系統電源１９との連系及び連系の解除を行う。
【００２２】
ＤＣ／ＤＣコンバータ５１ｃは、燃料電池９の出力側に接続されている。ＤＣ／ＤＣコンバータ５１ｃは、燃料電池９からの直流電圧を昇圧する。ＤＣ／ＡＣインバータ５１ｄは、ＤＣ／ＤＣコンバータ５１ｃの出力側に接続されており、ＤＣ／ＤＣコンバータ５１ｃからの昇圧後の直流電圧を交流電圧に変換する。
【００２３】
補機用ＤＣ／ＤＣコンバータ５１ｅは、フィルタ基板１３から伸びる単相三線式電路７の電力線７ｂと電力線７ｃとに、ＡＣ２００Ｖ  ＩＮ端子を介して接続されている。補機用ＤＣ／ＤＣコンバータ５１ｅは、ＤＣ／ＤＣコンバータ５１ｃの出力側に接続されており、ＤＣ３５０Ｖが供給されている。補機用ＤＣ／ＤＣコンバータ５１ｅは、ＤＣ／ＤＣコンバータ５１ｃからの昇圧後の直流電圧と、単相三線式電路７の電力線７ｂと電力線７ｃとの線間電圧とを用いて、燃料電池制御ユニット３のコントローラ３ａに印加する直流の駆動電圧を生成し、この駆動電圧を電気回路５１のＤＣ２４Ｖ  ＯＵＴ端子から、パワーユニット５のＤＣ電源出力端子５１ｆを介して、燃料電池制御ユニット３のコントローラ３ａに印加する。
【００２４】
このように補機用ＤＣ／ＤＣコンバータ５１ｅは、コントローラ３ａに印加する駆動電圧を、単相三線式電路７の電力線７ｂと電力線７ｃとの線間電圧を用いて生成することができるので、中性線７ａに欠相が生じても、コントローラ３ａに電力を供給することが可能となり、コントローラ３ａは、中性線７ａに欠相が生じても動作できる。また、上記したようにコントローラ５３も電力線７ｂと電力線７ｃとの線間電圧による電力の供給を受けて動作する。従って、中性線７ａに欠相が生じても、コントローラ５３及びコントローラ３ａは、動作できるので、中性線７ａの欠相の発生の検出や、この検出結果を貯湯槽１５等の側に通知することができる。
【００２５】
単相三線式電路７は、中性線７ａと電力線７ｂと電力線７ｃと漏電ブレーカ装置７ｄとを備える。単相三線式電路７は、外部の系統電源１９に接続されている。単相三線式電路７は、燃料電池制御ユニット３、電気回路５１、内部補機１１それぞれをフィルタ基板１３を介して系統電源１９に接続する。
【００２６】
内部補機１１は、燃料電池制御ユニット３を介して、フィルタ基板１３から伸びる単相三線式電路７に接続される。内部補機１１は、第１の電力消費部１１ａと第２の電力消費部１１ｂとを備える。第１の電力消費部１１ａは、電力線７ｂと中性線７ａとの間に接続されている。第１の電力消費部１１ａは、電力線７ｂと中性線７ａとの線間電圧が印可される。第１の電力消費部１１ａは、電力線７ｂに設けられたリレー３ｂのオンオフによって、駆動・停止が切り替えられる。第２の電力消費部１１ｂは、電力線７ｃと中性線７ａとの間に接続されている。第２の電力消費部１１ｂは、電力線７ｃと中性線７ａとの線間電圧が印可される。第２の電力消費部１１ｂは、電力線７ｃに設けられたリレー３ｃのオンオフによって、駆動・停止が切り替えられる。
【００２７】
第１の電力消費部１１ａ及び第２の電力消費部１１ｂは、ＡＣ１００Ｖ系の負荷であり、例えば、凍結防止ヒータ、燃料電池動作用ヒータ等であるが、ポンプ、ファン等で構成されることも考えられる。例えば凍結防止ヒータが第１の電力消費部１１ａと第２の電力消費部１１ｂの一方であり、燃料電池動作用ヒータが第１の電力消費部１１ａと第２の電力消費部１１ｂの他方である場合に、燃料電池システム１００の停止時においては凍結防止ヒータのみが動作し、燃料電池システム１００の起動時においては燃料電池動作用ヒータと凍結防止ヒータとが動作し、燃料電池システム１００の発電時においては凍結防止ヒータのみが動作し、燃料電池システム１００の停止工程時においては燃料電池動作用ヒータと凍結防止用ヒータとが動作することができる。
【００２８】
図２を参照して、パワーユニット５のコントローラ５３の機能と、燃料電池制御ユニット３のコントローラ３ａの機能とについて説明する。コントローラ５３は、機能的には電圧異常判定手段５３１と電圧異常情報送信手段５３２とを備える。電圧異常判定手段５３１と電圧異常情報送信手段５３２とは、何れも、コントローラ５３のＣＰＵがコントローラ５３のメモリに格納されたコンピュータソフトウェアを実行することによって実現される機能である。コントローラ５３は、特に、図３のフローチャートに示す処理を実行する。
【００２９】
コントローラ３ａは、機能的には電圧異常情報受信手段３ａ１と動作状況検出手段３ａ２と欠相判定手段３ａ３とを備える。欠相判定手段３ａ３は、仮確定手段３ａ４と確定手段３ａ５とを備える。電圧異常情報受信手段３ａ１と動作状況検出手段３ａ２と欠相判定手段３ａ３と仮確定手段３ａ４と確定手段３ａ５とは、何れも、コントローラ３ａのＣＰＵがコントローラ３ａのメモリに格納されたコンピュータソフトウェアを実行することによって実現される機能である。コントローラ３ａは、特に、図４のフローチャートに示す処理と図５のフローチャートに示す処理とを実行することができる。
【００３０】
電圧異常判定手段５３１は、系統電圧検出装置５１ａ（電圧検出手段）によって検出された単相三線式電路７の電圧値が電圧異常値になっているか否かを判定する。電圧異常情報送信手段５３２は、電圧異常判定手段５３１での判定の結果、単相三線式電路７の電圧異常が単相三線式電路７に生じている場合に、この電圧異常を示す電圧異常情報をコントローラ３ａに送信する。電圧異常には、例えば単相三線式電路７の中性線７ａの欠相に起因する電圧異常がある。単相三線式電路７の中性線７ａの欠相に起因する電圧異常は、電力線７ｂと中性線７ａとの線間電圧、及び、電力線７ｃと中性線７ａとの線間電圧のうち、少なくとも一方の電圧が、過電圧、瞬時過電圧、及び不足電圧の少なくとも一つに該当している場合であり、中性線７ａの欠相時に発生する可能性のある電圧変動の態様である。なお、系統電源１９が２００［Ｖ］の商用系統電源である場合に、電力線７ｂと中性線７ａとの線間電圧の値をＶ１とし、第１の電力消費部１１ａの抵抗値をＲ１とし、電力線７ｃと中性線７ａとの線間電圧の値をＶ２とし、第２の電力消費部１１ｂの抵抗値をＲ２とすると、Ｖ１はＲ１×２００／（Ｒ１＋Ｒ２）の値にほぼ対応し、Ｖ２はＲ２×２００／（Ｒ１＋Ｒ２）の値にほぼ対応する。
【００３１】
過電圧とは、例えば、第１の基準時間（例えば１．０［ｓｅｃ］）に第１の基準電圧（例えば１１５［Ｖ］）を上回るような電圧変動を示し、瞬時過電圧は、例えば、第２の基準時間内（例えば第１の基準時間の１／１０の程度）に第２の基準電圧（例えば第１の基準電圧よりも高く１２５［Ｖ］の程度）を上回るような電圧変動を示し、不足電圧は、例えば、第３の基準時間（例えば１．０［ｓｅｃ］）に第３の基準電圧（例えば第１の基準電圧よりも低く８０［Ｖ］の程度）を下回るような電圧変動を示す。このように、電圧異常判定手段５３１は、系統電圧検出装置５１ａによって検出される電圧値に基づいて、電力線７ｂと中性線７ａとの線間電圧の値及び電力線７ｃと中性線７ａとの線間電圧の値のうち少なくとも一方の線間電圧の値が予め設定された判定条件を満たす場合に、系統電圧検出装置５１ａによって検出される電圧値が電圧異常値になっていると判定する。この判定条件は、例えば、上記の第１〜３の基準時間、及び、上記の第１〜３の基準電圧を含む条件である。
【００３２】
電圧異常情報受信手段３ａ１は、パワーユニット５のコントローラ５３から電圧異常情報を受信する。動作状況検出手段３ａ２は、内部補機１１の動作状況を検出する。具体的には、第１の電力消費部１１ａと第２の電力消費部１１ｂの少なくとも一方が駆動中であるか、及び、第１の電力消費部１１ａと第２の電力消費部１１ｂの両方が停止中であるかが動作状況検出手段３ａ２によって検出される。欠相判定手段３ａ３は、電圧異常情報受信手段３ａ１を介して受信した電圧異常情報と、動作状況検出手段３ａ２が検出した内部補機１１の動作状況とに基づいて、単相三線式電路７における中性線７ａの欠相の発生の有無を判定する。
【００３３】
欠相判定手段３ａ３の仮確定手段３ａ４は、電圧異常情報受信手段３ａ１を介して電圧異常情報が受信され、動作状況検出手段３ａ２によって内部補機１１が駆動中であると判定された場合に、単相三線式電路７における中性線７ａの欠相の発生を仮確定する。欠相判定手段３ａ３の確定手段３ａ５は、単相三線式電路７における中性線７ａの欠相の発生が仮確定手段３ａ４によって仮確定された場合に、この仮確定の後に更に電圧異常情報受信手段３ａ１を介して電圧異常情報を受信した場合に単相三線式電路７における中性線７ａの欠相の発生を仮確定から確定へ移行する。そして、欠相判定手段３ａ３は、単相三線式電路７における中性線７ａの欠相の発生が確定手段３ａ５によって確定された場合に、単相三線式電路７において中性線７ａの欠相が発生したと判定する。
【００３４】
確定手段３ａ５は、具体的には、単相三線式電路７における中性線７ａの欠相の発生が仮確定手段３ａ４によって仮確定された場合に、内部補機１１の第１の電力消費部１１ａ及び第２の電力消費部１１ｂの一方のみを駆動させた状態で更に電圧異常情報受信手段３ａ１を介して電圧異常情報が受信された場合には、単相三線式電路７における中性線７ａの欠相の発生を仮確定から確定へ移行することができる（図４のフローチャートの処理）。
【００３５】
また、確定手段３ａ５は、単相三線式電路７における中性線７ａの欠相の発生が仮確定手段３ａ４によって仮確定された場合に、更に仮確定手段３ａ４に仮確定の判断を行わせ、仮確定手段３ａ４による仮確定が基準回数なされた場合には、単相三線式電路７における中性線７ａの欠相の発生を確定することもできる（図５のフローチャートの処理）。
【００３６】
図３〜５を参照して、実施形態に係る燃料電池システム１００の制御方法を説明する。燃料電池システム１００の制御は、コントローラ５３の動作とコントローラ３ａの動作とによって成される。まず、図３を参照してコントローラ５３の動作を説明する。なお、後述の図４及び図５に示すコントローラ３ａの動作は、図３に示すコントローラ５３の動作に応じてなされる。また、図３〜５のフローチャートの処理は、燃料電池システム１００の停止時、起動工程時、発電中、停止工程時の何れの場合においても実行される。
【００３７】
コントローラ５３は、ステップＳ１ａ（電圧検出ステップ）において、単相三線式電路７の電圧値（すなわち、中性線７ａと電力線７ｂとの線間電圧、及び、中性線７ａと電力線７ｃとの線間電圧であり、以下同様。）を、系統電圧検出装置５１ａを用いて常時監視する。コントローラ５３の電圧異常判定手段５３１は、ステップＳ１ｂ（電圧異常判定ステップ）において、ステップＳ１ａで検出された電圧値が電圧異常値になっているか否かを判定する。コントローラ５３の電圧異常情報送信手段５３２は、ステップＳ１ｃ（電圧異常情報送信ステップ）において、ステップＳ１ｂでの判定の結果、単相三線式電路７の電圧異常が単相三線式電路７に生じている場合に、この電圧異常を示す電圧異常情報をコントローラ３ａに送信する。
【００３８】
次に、図４を参照して、コントローラ３ａの動作を説明する。図４のフローチャートは、コントローラ３ａが行う中性線の欠相の判定処理を表している。コントローラ３ａの電圧異常情報受信手段３ａ１は、ステップＳ２ａ（電圧異常情報受信ステップ）において、パワーユニット５のコントローラ５３から電圧異常情報を受信するまで待機し（ステップＳ２ａ：Ｎｏ）、コントローラ５３から電圧異常情報を受信すると（ステップＳ２ａ：Ｙｅｓ）、コントローラ３ａの動作状況検出手段３ａ２は、ステップＳ２ｂ（動作状況検出ステップ）において、内部補機１１（第１の電力消費部１１ａと第２の電力消費部１１ｂ）の動作状況（駆動中であるか否か）を検出し、内部補機１１が駆動中ではない場合（停止中）には、ステップＳ２ａに移行し（ステップＳ２ｂ：Ｎｏ）、内部補機１１が駆動中の場合にはステップＳ２ｃに移行する（ステップＳ２ｂ：Ｙｅｓ）。
【００３９】
ステップＳ２ｂ：Ｙｅｓの後、コントローラ３ａの欠相判定手段３ａ３は、ステップＳ２ａで受信した電圧異常情報と、ステップＳ２ｂで検出した内部補機１１の動作状況とに基づいて、中性線７ａの欠相の発生の有無を判定する。そこで以下において、ステップＳ２ｂ：Ｙｅｓの後の処理を具体的に説明する。
【００４０】
ステップＳ２ｂ：Ｙｅｓの後、欠相判定手段３ａ３が備える仮確定手段３ａ４は、ステップＳ２ｃ（欠相判定ステップ）において、中性線７ａの欠相の発生を仮確定し、ステップＳ２ｄに移行する。
【００４１】
コントローラ３ａは、中性線７ａの欠相の発生がステップＳ２ｃにおいて仮確定されたことに伴い、中性線７ａの欠相によって生じ得る内部補機１１への過負荷を回避するために、ステップＳ２ｄにおいて、リレー３ｂとリレー３ｃとを共にオフにすることによって内部補機１１を完全に停止させる、すなわち、第１の電力消費部１１ａと第２の電力消費部１１ｂとを全て停止させる。
【００４２】
ステップＳ２ｄの後、電圧異常情報受信手段３ａ１は、ステップＳ２ｅにおいて、内部補機１１が完全に停止されている状態においてコントローラ５３から電圧異常情報を再び受信したか否かを判定する。
【００４３】
ステップＳ２ｅにおいて電圧異常情報受信手段３ａ１がコントローラ５３から電圧異常情報を受信した場合には（ステップＳ２ｅ：Ｙｅｓ）、コントローラ３ａは、単相三線式電路７の電圧の電圧異常が中性線７ａの欠相に起因するものではなく系統電源１９の側における障害に起因するものであると判定し、ステップＳ２ｃで行った中性線７ａの欠相の発生の仮確定を解除し、系統電源１９の側の回復を待って内部補機１１の動作を復帰させ、ステップＳ２ａに戻る。
【００４４】
ステップＳ２ｅにおいて電圧異常情報受信手段３ａ１がコントローラ５３から電圧異常情報を受信しなかった場合には（ステップＳ２ｅ：Ｎｏ）、コントローラ３ａは、中性線７ａに欠相が生じた状態で内部補機１１が完全に停止したことに起因して単相三線式電路７の電圧に電圧異常が検出されなかった可能性があるので、このような可能性を確認するために、まず、ステップＳ２ｆに移行して、リレー３ｂ及びリレー３ｃの何れか一方のみをオンとすることによって内部補機１１の一部のみ、すなわち、第１の電力消費部１１ａ及び第２の電力消費部１１ｂの何れか一方のみを駆動してステップＳ２ｇに移行し、第１の電力消費部１１ａ及び第２の電力消費部１１ｂの何れか一方のみが駆動している状態において再び電圧異常情報受信手段３ａ１がコントローラ５３から電圧異常情報を受信したか否かを判定する。中性線７ａに欠相が生じている場合において第１の電力消費部１１ａ及び第２の電力消費部１１ｂの何れか一方を駆動させれば単相三線式電路７の電圧に電圧異常が生じることとなり、この電圧異常を検出することによって中性線７ａの欠相の発生を確認することができる。なお、中性線７ａに欠相が生じている場合において第１の電力消費部１１ａ及び第２の電力消費部１１ｂの何れか一方のみを駆動させても駆動中の内部補機１１に過負荷は生じないので、過負荷に対する内部補機１１の安全性は保証される。
【００４５】
ステップＳ２ｇにおいて電圧異常情報受信手段３ａ１がコントローラ５３から電圧異常情報を受信しなかった場合には（ステップＳ２ｇ：Ｎｏ）、コントローラ３ａは、ステップＳ２ａとステップＳ２ｅとにおける電圧異常情報の受信が中性線７ａの欠相に起因するものではなく他に起因するものと判定し、ステップＳ２ｃで行った中性線７ａの欠相の発生の仮確定を解除し、内部補機１１の動作を復帰させて、ステップＳ２ａに戻る。
【００４６】
ステップＳ２ｇにおいて電圧異常情報受信手段３ａ１がコントローラ５３から電圧異常情報を受信した場合には（ステップＳ２ｇ：Ｙｅｓ）、欠相判定手段３ａ３が備える確定手段３ａ５は、ステップＳ２ｈにおいて、単相三線式電路７における中性線７ａの欠相の発生を確定する（欠相判定ステップ）。
【００４７】
このように、確定手段３ａ５は、ステップＳ２ｈにおいて、中性線７ａの欠相の発生がステップＳ２ｃで仮確定手段３ａ４によって仮確定された場合に、第１の電力消費部１１ａ及び第２の電力消費部１１ｂの一方のみを駆動させた状態で更に電圧異常情報受信手段３ａ１を介して電圧異常情報が受信された場合には、中性線７ａの欠相の発生を確定する。そして、欠相判定手段３ａ３は、中性線７ａの欠相の発生が確定手段３ａ５によって確定された場合に、中性線７ａの欠相が発生したと最終的に判定する（欠相判定ステップ）。
【００４８】
ステップＳ２ｈの後、ステップＳ２ｉにおいて、コントローラ３ａは、中性線７ａの欠相による内部補機１１への過負荷を回避するために、リレー３ｂとリレー３ｃとを共にオフすることによって内部補機１１の動作を完全に停止する。
【００４９】
ステップＳ２ｉの後、コントローラ３ａは、燃料電池９が発電中である場合には（ステップＳ２ｊ：Ｙｅｓ）、ステップＳ２ｋにおいて燃料電池システム１００を停止工程に移行した後にステップＳ２ｍに移行し、燃料電池９が発電中でない場合（停止時、起動時、停止工程時）には（ステップＳ２ｊ：Ｎｏ）、ステップＳ２ｍに移行する。
【００５０】
コントローラ３ａは、ステップＳ２ｍにおいて、リレー３ｂとリレー３ｃとを共にオフ状態に維持することによって内部補機１１への電力供給を禁止し、ステップＳ２ｍの後にステップＳ２ｎにおいて中性線７ａの欠相が生じた旨を示す情報を貯湯槽１５のコントローラ１５ａに送信する。ステップＳ２ｍにおいて、内部補機１１への電力供給を単に停止するだけで無く、他の制御フローによる全ての内部補機１１への動作を禁止することで、内部補機を確保する。コントローラ１５ａは、中性線７ａの欠相が生じた旨を示す情報をリモコン１７に送信する。貯湯槽１５の制御は、操作者によるリモコン１７の操作を介して行われる。また、コントローラ５３は、中性線７ａの欠相の回復後、規定時間（例えば１５０秒又は３００秒。）をもって再連系し、パワーユニット５の出力を上昇させる。
【００５１】
次に、図５を参照して、コントローラ３ａの動作を更に説明する。図５のフローチャートは、コントローラ３ａが行う中性線の欠相の他の判定処理を表している。図５のフローチャートの処理は、燃料電池システム１００の停止時、起動工程時、発電中、停止工程時の何れの場合においても実行される。
【００５２】
まず、コントローラ３ａは、コントローラ３ａが備えるカウンタをリセットする（ステップＳ３ａ）。このカウンタは、コントローラ３ａの仮確定手段３ａ４によって中性線７ａの欠相の発生の仮確定が行われた回数を計数する機能である。
【００５３】
ステップＳ３ａの後、コントローラ３ａの電圧異常情報受信手段３ａ１は、ステップＳ３ｂ（電圧異常情報受信ステップ）において、パワーユニット５のコントローラ５３から電圧異常情報を受信するまで待機し（ステップＳ３ｂ：Ｎｏ）、電圧異常情報受信手段３ａ１がコントローラ５３から電圧異常情報を受信すると（ステップＳ３ｂ：Ｙｅｓ）、コントローラ３ａの動作状況検出手段３ａ２は、ステップＳ３ｃ（動作状況検出ステップ）において、内部補機１１（第１の電力消費部１１ａと第２の電力消費部１１ｂ）の動作状況（駆動中であるか否か）を検出し、内部補機１１が駆動中ではない場合（内部補機１１の停止中）にはステップＳ３ｂに移行し（ステップＳ３ｃ：Ｎｏ）、内部補機１１が駆動中の場合にはステップＳ３ｄに移行する（ステップＳ３ｃ：Ｙｅｓ）。
【００５４】
なお、単相三線式電路７の電圧異常が明らかに中性線７ａの欠相以外の別要因によるものを想定して、このような別要因の障害が判明した場合に（ステップＳ３ｂ：Ｎｏ及びステップＳ３ｃ：Ｎｏ）、コントローラ３ａがステップＳ３ａに戻ってカウンタをリセットする場合がある。
【００５５】
ステップＳ３ｃ：Ｙｅｓの後、コントローラ３ａの欠相判定手段３ａ３は、ステップＳ３ｂで受信した電圧異常情報と、ステップＳ３ｃで検出した内部補機１１の動作状況とに基づいて、中性線７ａの欠相の発生の有無を判定する。そこで以下において、ステップＳ３ｃ：Ｙｅｓの後の処理を具体的に説明する。ステップＳ３ｃの後、欠相判定手段３ａ３が備える仮確定手段３ａ４は、ステップＳ３ｄ（欠相判定ステップ）において、中性線７ａの欠相の発生を仮確定し、ステップＳ３ｅに移行する。
【００５６】
コントローラ３ａは、中性線７ａの欠相の発生がステップＳ３ｄにおいて仮確定されたことに伴い、中性線７ａの欠相によって生じる内部補機１１への過負荷を回避するために、ステップＳ３ｅにおいて、リレー３ｂとリレー３ｃとを共にオフにすることによって内部補機１１を完全に停止する、すなわち、第１の電力消費部１１ａと第２の電力消費部１１ｂとを全て停止する。
【００５７】
ステップＳ３ｅの後、コントローラ３ａは、ステップＳ３ｆにおいてカウンタを１だけインクリメントし、更に、ステップＳ３ｇにおいて、カウンタの値を参照して仮確定の回数が基準回数なされたか否か（基準回数以上であるか）を判定する。コントローラ３ａは、仮確定の回数が基準回数に到達されていないと判定した場合には（ステップＳ３ｇ：Ｎｏ）、ステップＳ３ｂに戻り、仮確定の回数が基準回数に到達されたと判定した場合には（ステップＳ３ｇ：Ｙｅｓ）、欠相判定手段３ａ３が備える確定手段３ａ５は、ステップＳ３ｈ（欠相判定ステップ）において、中性線７ａの欠相の発生を確定する（欠相判定ステップ）。
【００５８】
このように、確定手段３ａ５は、ステップＳ３ｈにおいて、中性線７ａの欠相の発生がステップＳ３ｄで仮確定手段３ａ４によって仮確定された場合に、更に仮確定手段３ａ４に仮確定の判断を行わせ、仮確定手段３ａ４による仮確定が基準回数に到達された場合には、中性線７ａの欠相の発生を確定する。そして、欠相判定手段３ａ３は、中性線７ａの欠相の発生が確定手段３ａ５によって確定された場合に、中性線７ａの欠相が発生したと最終的に判定する（欠相判定ステップ）。
【００５９】
ステップＳ３ｈの後、コントローラ３ａは、燃料電池９が発電中である場合には（ステップＳ３ｉ：Ｙｅｓ）、ステップＳ３ｊにおいて燃料電池システム１００を停止工程に移行した後にステップＳ３ｋに移行し、燃料電池９が発電中でない場合（停止時、起動時、停止工程時）には（ステップＳ３ｉ：Ｎｏ）、ステップＳ３ｋに移行する。
【００６０】
コントローラ３ａは、ステップＳ３ｋにおいて、リレー３ｂとリレー３ｃとを共にオフ状態に維持することによって内部補機１１への電力供給を禁止し、ステップＳ３ｋの後にステップＳ３ｍにおいて中性線７ａの欠相が生じた旨を示す情報を貯湯槽１５のコントローラ１５ａに送信する。コントローラ１５ａは、中性線７ａの欠相が生じた旨を示す情報をリモコン１７に送信する。また、コントローラ５３は、中性線７ａの欠相の回復後、規定時間（例えば１５０秒又は３００秒。）をもって再連系し、パワーユニット５の出力を上昇させる。
【００６１】
以上説明したように、パワーユニット５は、単相三線式電路７の三線のうち電力線７ｂ及び電力線７ｃの線間電圧から生じる交流出力の供給を受けて動作するので、中性線７ａに欠相が生じても、パワーユニット５は継続して正常に動作できる。このため、パワーユニット５では、中性線７ａに欠相が生じた場合でも、系統電源１９の側の漏電ブレーカ装置７ｄを直ちにオフとせずに、系統電圧検出装置５１ａがステップＳ１ａで単相三線式電路７の電圧値を検出し、電圧異常判定手段５３１がステップＳ１ｂで単相三線式電路７の電圧値が電圧異常値になっているか否かを判定し、電圧異常情報送信手段５３２がステップＳ１ｃでこの判定結果をコントローラ３ａに送ることができる。更に、コントローラ３ａでは、ステップＳ２ａ（ステップＳ３ｂ）において電圧異常情報受信手段３ａ１がパワーユニット５から受ける電圧異常情報と、ステップＳ２ｂ（ステップＳ３ｃ）において動作状況検出手段３ａ２が検出する内部補機１１の動作状況とに基づいて、ステップＳ２ｃ、ステップＳ２ｈ（ステップＳ３ｄ、ステップＳ３ｈ）において欠相判定手段３ａ３が中性線７ａに欠相が生じたか否かを判定するので、従来システムの様に電圧異常が生じた場合に、直ちに漏電ブレーカ等の開閉手段で系統電源を切断する方法でなく、上記電圧異常の原因を究明することで、その後の修復処理も的確に行なうことが可能となる。さらに、上記電圧異常が中性線の欠相であるかどうかを判定する機能を設けたことで、特に電圧異常の中でも中性線７ａの欠相発生の検出が的確に行うことが出来る。
【００６２】
更に、電圧異常判定手段５３１は、電力線７ｂと中性線７ａとの線間電圧の値及び電力線７ｃと中性線７ａとの線間電圧の値のうち少なくとも一方の線間電圧の値が予め設定された判定条件を満たした場合に単相三線式電路７の電圧値が電圧異常値になっていると判定するので、中性線７ａの欠相によって、内部補機、さらには装置の内部回路等が損傷を受ける前に単相三線式電路７の電圧異常を検出する事が可能となる。
【００６３】
更に、仮確定手段３ａ４によってまず中性線７ａの欠相の発生を仮確定した後に、この仮確定の後に更に電圧異常情報受信手段３ａ１を介して受信された電圧異常情報を用いて中性線７ａの欠相の発生を確定手段３ａ５が確定するので、電圧異常情報を一度受けたことのみによって直ちに中性線７ａに欠相が発生した旨の判定を行う場合と比較して、電圧異常が生じる外的要因を的確に排除出来るので、中性線７ａの欠相の検出精度が更に向上する。
【００６４】
更に、確定手段３ａ５は、仮確定手段３ａ４による仮確定の後に、第１の電力消費部１１ａ及び第２の電力消費部１１ｂの一方のみを駆動させた状態で更に電圧異常情報受信手段３ａ１を介して電圧異常情報が受信された場合に単相三線式電路７における中性線７ａの欠相の発生を確定する。従って、内部補機１１の第１の電力消費部１１ａ及び第２の電力消費部１１ｂを全て駆動させることなく、第１の電力消費部１１ａ及び第２の電力消費部１１ｂの一方のみを駆動させるだけで中性線７ａの欠相の発生が確認されるので、中性線７ａの欠相の発生時に生じ得る内部補機１１における過負荷が回避されつつ中性線７ａの欠相の発生原因、及び個所を特定することが出来る。
【００６５】
更に、確定手段３ａ５は、仮確定手段３ａ４による仮確定の回数が基準回数なされた場合に、単相三線式電路７における中性線７ａの欠相の発生を確定するので、より確実に中性線７ａの欠相のみを検出することが出来る。
【００６６】
なお、本発明は上記の実施形態に限定されるものではない。例えば、コントローラ３ａは、図５のフローチャートの処理を図４のフローチャートの処理に替えて行ってもよいし、図４のフローチャートの処理と並行に行ってもよく、それぞれの処理の実行のタイミングは限定されない。また、コントローラ３ａは、本実施形態においては燃料電池制御ユニット３に設けられるとしたが、これに限らず、燃料電池制御ユニット３の外部において燃料電池制御ユニット３とは別体の独立した装置として設けられていてもよいし、パワーユニット５の内部においてコントローラ５３と共に設けられていてもよく、コントローラ３ａの設置場所の態様は限定されない。
【符号の説明】
【００６７】
１００…燃料電池システム、１１…内部補機、１１ａ…第１の電力消費部、１１ｂ…第２の電力消費部、１３…フィルタ基板、１５…貯湯槽、１５ａ，３ａ，５３…コントローラ、１７…リモコン、１９…系統電源、３…燃料電池制御ユニット、３ａ１…電圧異常情報受信手段、３ａ２…動作状況検出手段、３ａ３…欠相判定手段、３ａ４…仮確定手段、３ａ５…確定手段、３ｂ，３ｃ…リレー、５…パワーユニット、５１…電気回路、５１ａ…系統電圧検出装置、５１ｂ…連系リレー、５１ｃ…ＤＣ／ＤＣコンバータ、５１ｄ…ＤＣ／ＡＣインバータ、５１ｅ…補機用ＤＣ／ＤＣコンバータ、５１ｆ…ＤＣ電源出力端子、５３１…電圧異常判定手段、５３２…電圧異常情報送信手段、７…単相三線式電路、７ａ…中性線、７ｂ，７ｃ…電力線、７ｄ…漏電ブレーカ装置、９…燃料電池。
【図１】
0006352757.tif 000002
【図２】
0006352757.tif 000003
【図３】
0006352757.tif 000004
【図４】
0006352757.tif 000005
【図５】
0006352757.tif 000006